(57)【要約】【課題】  シャワーの水跳ねやペットが体を震わせて水飛沫を飛ばすことによって洗浄者が濡れることなくペットを洗浄することができるとともに、使用しないときにはコンパクトに折畳んで邪魔にならずに収納することができて、また持ち運びが楽に行えるペット洗浄カバーを提供することを目的とする。。【解決手段】  接続具４ａ・４ｂを介して分解組立可能なフレーム部材３ａ・３ｂ・３ｄにより形成した支持フレーム２によって防水カバー５を支持して、犬の胴体を覆うべき洗浄室８を形成し、この防水カバー５の側面に腕挿入用の腕孔１０を開口すると共に、防水カバー５の前面に犬の首を出すための首孔６を設けた。【選択図】図１
2006174795.tif 000002
【特許請求の範囲】
【請求項１】
防水カバーを支持フレームにより支持して犬の胴体を囲うべきドーム状の洗浄室を形成すると共に、この防水カバーに腕挿入用の腕孔を開口してなるペット洗浄カバー。
【請求項２】
前記洗浄室の左右の側面のいずれかを形成する防水カバーに、犬の首を挿通すべき首孔を開口してなる請求項１記載のペット洗浄カバー。
【請求項３】
前記洗浄室の上面を形成する防水カバーに、水道ホースを挿通すべきホース孔を開口してなる請求項１記載のペット洗浄カバー。
【請求項４】
前記支持フレームは、その上部に梁フレームを備え、この梁フレームの、前記ホース孔の下方にのぞむ位置に、ホース係止部を取付けてなる請求項３記載のペット洗浄カバー。
【請求項５】
前記防水カバーが光透過性を備えた材質で形成されていることを特徴とする請求項１記載のペット洗浄カバー。
【請求項６】
前記洗浄室の底面に床体を設置し、前記支持フレームの下端をこの床体に固定してなる請求項１記載のペット洗浄カバー。
【請求項７】
前記腕孔に防水性の袖を取付けてなる請求項１記載のペット洗浄カバー。
【請求項８】
前記支持フレームがジョイントを介して組立て分解自在に形成されていることを特徴とする請求項１記載のペット洗浄カバー。
【請求項９】
前記支持フレームがアーチ状に形成されていることを特徴とする請求項１記載のペット洗浄カバー。
【発明の詳細な説明】
【技術分野】
【０００１】
本発明は、犬を洗浄するために使用するペット洗浄カバーに関するものである。
【背景技術】
【０００２】
飼い犬を家庭で洗浄するには、庭先や風呂場などでシャワーを使用するのが一般的であるが、その場合、犬が濡れた体を震わせて飛沫を周囲に飛ばすため、洗浄する人は衣服が濡れるうえ、周りにも独特の動物臭が付着して、不快な思いをすることが多い。
【０００３】
ペットショップ等の専門店向けには、ペットを戴置してシャワーの水跳ねを押さえながら洗浄を行なう浴槽装置（特許文献１）や、ペットを収容して洗浄水による洗浄から温風による乾燥までを自動に行なう自動洗浄装置（特許文献２）などが開発されているが、これらは高価なうえ嵩張って家庭では使いづらいものである。
【特許文献１】特開２００２−１２５５０２号公報
【特許文献２】特開２００２−２４２５９５号公報
【発明の開示】
【発明が解決しようとする課題】
【０００４】
本発明が解決しようとする問題点は、如何にして服などを濡らさずに飼い犬を洗えるか、またそれを嵩張らない簡易な構造で如何に実現するか、という点にある。
【課題を解決するための手段】
【０００５】
本発明は、請求項１記載のごとく、防水カバーを支持フレームにより支持して犬の胴体を囲うべきドーム状の洗浄室を形成すると共に、この防水カバーに腕挿入用の腕孔を開口した。
【０００６】
請求項２記載のごとく、前記洗浄室の左右の側面のいずれかを形成する防水カバーに、犬の首を挿通すべき首孔を開口した。
【０００７】
請求項３記載のごとく、前記洗浄室の上面を形成する防水カバーに、水道ホースを挿通すべきホース孔を開口した。
【０００８】
請求項４記載のごとく、前記支持フレームは、その上部に梁フレームを備え、この梁フレームの、前記ホース孔の下方にのぞむ位置に、ホース係止部を取付けた。
【０００９】
請求項５記載のごとく、前記防水カバーを光透過性を備えた材質で形成した。
【００１０】
請求項６記載のごとく、前記洗浄室の底面に床体を設置し、前記支持フレームの下端をこの床体に固定した。
【００１１】
請求項７記載のごとく、前記腕孔に防水性の袖を取付けた。
【００１２】
請求項８記載のごとく、前記支持フレームをジョイントを介して組立て分解自在に形成した。
【００１３】
請求項９記載のごとく、前記支持フレームをアーチ状に形成した。
【発明の効果】
【００１４】
請求項１記載のごとく、防水カバーで形成した洗浄室に腕孔を開口し、人は腕孔から腕を差し込んで洗浄室の中の犬を洗うので、シャワーの水跳ねや犬が体を震わせて飛ばす水飛沫は防水カバーによって防がれて、洗浄する人が衣服を濡らすことがなく、また風呂場などに犬の臭いが付着せず、清潔に保つことができる。
【００１５】
請求項２記載のごとく、洗浄室の左右いずれかの側面を形成する防水カバーに犬の首を挿通すべき首孔を設けたことにより、洗浄室の左右をカバーで覆って周囲の壁等が濡れて犬の臭いが付着することを防いで清潔に保つとともに、犬の首は首孔を通して洗浄室の外に出しておけるため犬の頭部が濡れることがなく、頭部が濡れることを嫌がって犬が暴れたり、頭についた水を落とそうとして体を震わせて水飛沫を飛ばしたりせず、労力を要することなく洗浄することができる。
【００１６】
請求項３記載のごとく、洗浄室の上面を形成する防水カバーに、ホース孔を開口したことにより、洗浄水をこのホース孔から供給することができて、洗浄室の密閉性を保ったまま洗浄を行なえるため、洗浄者や付近の壁に水飛沫等が付着して濡れたり、犬の臭いが付着することがなく清潔に保つことができる。
【００１７】
請求項４記載のごとく、支持フレームは、その上部に梁フレームを備え、この梁フレームにホース係止部を設けたことにより、このホース係止部にホースをかけた状態で洗浄することができて、シャワーやホースを引張ったりしてもホース孔が破けたり拡がったりせず耐久性が向上するうえ、洗浄者が犬を洗浄する際のホースの取りまわしもよく、機能性にも優れる。
【００１８】
請求項５記載のごとく、防水カバーが光透過性を備えた材質で形成されていることにより、洗浄室内の様子を窺いながら洗浄することができて、犬を隅々まで綺麗に洗うことができる。
【００１９】
請求項６記載のごとく、床体に支持フレームを固定したことにより、洗浄者が屋外で犬を洗浄するときでもこの床体に犬を戴置して、犬の足元まで綺麗に洗うことができる。
【００２０】
請求項７記載のごとく、腕孔に防水性の袖を取付け、この袖で洗浄室内に挿入した洗浄者の腕を覆うので、腕孔の隙間から外に水が飛び散ったり、腕が濡れるのを防ぐことができる。
【００２１】
請求項８記載のごとく、支持フレームが分解組立自在に構成されていることにより、不使用時には分解してコンパクトに収納することができて余計な場所を取らず邪魔になることがないうえに持運びも簡便に行なえる。
【００２２】
請求項９記載のごとく、支持フレームがアーチ状に形成されていることにより、簡便に組立て分解ができて持運びもしやすく、組立時の強度も得られる。
【発明を実施するための最良の形態】
【００２３】
以下、本発明を実施したペット洗浄カバーを図面に基づいて説明する。
図１はペット洗浄カバー全体の分解斜視図である。
ペット洗浄カバー１は、支持フレーム２と防水カバー５により構成する。
支持フレーム２は、底部フレーム３ａ、支柱フレーム３ｂ及び梁フレーム３ｄにより構成する。これら各フレームを三叉の接続具４ａ、４ｂにより連結して支持フレーム２とし、この支持フレーム２に防水カバー５を被せてペットの洗浄室８を形成する。
【００２４】
底部フレーム３ａは底部接続具４ａによって連結して長方形に形成し、その左右の短辺に門型の支柱フレーム３ｂを立設する。両支柱フレーム３ｂの上辺中央に支柱接続具４ｂを取り付け、この支柱接続具４ｂに梁フレーム３ｄを水平方向に取付ける。これらフレーム部材３ａ、３ｂ及び３ｄは、金属またはプラスチックなどで作製したパイプ又は棒などで形成する。
【００２５】
防水カバー５は防水性を備えたシートにより構成し、少なくとも一部を透明なシートで構成するか、全体を光透過性を備えた防水シートにより構成する。
防水シートの材質としては、プラスチックシートに繊維の網を張り合わせたものや、シート内部に繊維を添加して強化したものを用いるとよい。本実施形態においては防水カバー５は光透過性を備えた防水シートにより構成されている。
防水シート５は支持フレーム２よりも裾を少し長めに形成するとよい。
【００２６】
防水カバー５には、側面に犬の首を出す首孔６を形成し、正面には洗浄する人の腕を挿入するための腕孔１０を形成する。１３は、ホースやシャワーを洗浄室８に導入するためのホース孔である。
また、正面に左右一対のファスナ１５を取付けて扉片９とし、これにより犬の出入口を形成する。
【００２７】
図２は防水カバー５の側面図である。首孔６は、その中心から放射状にスリットを形成してなり、スリットによって分離された扇形のシート片が開いて開口する。洗浄室８の内部で犬の向きを変える都合上、首孔６は防水カバー５の片側面だけでなく両側面に設けるとよい。
【００２８】
図３は防水カバー５の正面図である。防水カバー５の正面には、洗浄室８に洗浄者の腕を挿入するための腕孔１０を2個設ける。腕孔１０は、防水カバー５の正面に放射状にスリットを切込んで円形の腕挿入穴１１を形成し、この腕挿入穴１１に防水性の袖１２を取付けて形成する。本実施形態においては腕孔１０は左右に一対設けられているが、一つでもよい。
【００２９】
図４は図３のＡ−Ａ断面図で、洗浄する人が腕挿入穴１１から洗浄室８に腕を挿入している状態を示している。
袖１２は、防水カバー５と同様の防水性のシートによって形成する。袖１２の先端にゴム手袋を接続して、手が全く濡れないように構成することもできる。図４においては、腕孔１０を正面だけに設けた防水カバー５を図示しているが、腕孔１０は正面だけでなく裏面にも設けてもよい。
【００３０】
図５は支持フレーム２の平面図で、防水カバー５は破線で図示している。
防水カバー５の天井部のホース孔１３の下方にのぞむ位置に合わせて、梁フレーム３ｄにホース係止具１４を設け、これにホースやシャワーを係止する。
【００３１】
図６は、本発明の使用状態の正面図である。扉片９を開けて出入口を開放し、これより犬を洗浄室８に収容し、首だけ首孔６から外に出す。小型の犬の場合は、床体７に犬を置いて上からペット洗浄カバー１を被せてもよい。防水カバー５の裾を長めに形成しておけば、この裾を外側に広げて重りを乗せてカバー５を支持フレーム２に固定することができる。
そうして、防水カバー５の上部に設けたホース孔１３からホースやシャワーなどで洗浄室８に洗浄水を導入し、腕孔１０から腕を洗浄室８に挿入してペットを洗浄する。
【００３２】
上記のごとく構成したペット洗浄カバー１は以下に述べる効果を奏する。
防水カバー５によって洗浄室８を形成し、洗浄者は防水カバー５に設けた腕孔１０から洗浄室８に腕を挿入してペットを洗浄できるため、シャワーの水跳ねやペットが濡れた体を震わせて飛ばす水飛沫などは洗浄者にかからず、濡れることなくペットを洗浄することができて犬の臭いが付着することがないし、また風呂場の壁等に水飛沫がかかって犬の臭いが付着することがなく、清潔に保つことができる。
【００３３】
さらに、犬の頭部は首孔６から洗浄室８の外部に出しており、洗浄中に犬の頭部が濡れることがないため、濡れることを嫌がって犬が暴れたりせず、余計な労力を要することなく洗浄することができる。また、係止具１４にシャワーヘッドを係止して洗浄することができるため、シャワーやホースを引張ったりしても防水カバー５に設けたホース孔１３が破けて拡がったりすることがなく耐久性に優れる。
すのこ７を用いれば、屋外でペットを洗浄する場合でも、ペットの足先まで綺麗に洗うことができるが、風呂場などの屋内で洗浄するときには、すのこ７は省略してもよい。
【００３４】
次に、ペット洗浄カバーの第２の実施形態について、図７ないし図８を参照して説明する。図７は、ペット洗浄カバー全体の第２の実施形態の分解斜視図である。
防水カバー５はについてはペット洗浄カバーの第１の実施形態と同一のため説明を省略する。
【００３５】
支持フレーム２ａは、床体７の四隅に床体接続具４ｃを取付け、この床体接続具４ｃに支柱フレーム３ｂを立設して、短辺側で支柱接続具４ｂによって支柱フレーム３ｂを連結してアーチ状に形成し、さらに、この支柱接続具４ｂに梁フレーム３ｄを取付けて形成する。
床体接続具４ｃは床体７に固設される土台部２０と支柱フレーム３ｂを受ける受け部２１とからなる。床体７には、一般的なすのこを用いることができる。
【００３６】
図８は、ペット洗浄カバー１ａの第２の実施形態の使用状態を示す正面図である。
【００３７】
このようにして形成したペット洗浄カバー１ａは、ペットが戴置されているすのこ７に支持フレーム２ａが立設されているため洗浄中にペットが動いたりしてもペット洗浄カバー１ａが引きずられたり動いたりするおそれがなく、ペットの洗浄を行ないやすい。
【００３８】
次に、ペット洗浄カバーの第３の実施形態について、図９を参照して説明する。図９は、ペット洗浄カバー１ｂ全体の第３の実施形態の分解斜視図である。
本実施形態において、ペット洗浄カバー１ｂは直方体型状に形成される。
【００３９】
支持フレーム２ｂは、底部フレーム３ａを底部接続具４ａによって連結して長方形に形成し、その四隅に支柱フレーム３ｂを立設して、さらに、底部接続具４ａによって梁フレーム３ｄを支柱フレーム３ｂに取付けて直方体型状の支持フレーム２ｂを形成する。
防水カバー５ａもそれに合わせて直方体型状に形成し、支持フレーム２ｂに被せて洗浄室８を形成する。また、本実施形態の防水カバー５には両側面に首孔６が設ける。
【００４０】
このようにして形成したペット洗浄カバー１ｂは、防水カバー５ａに曲線部がないために、裁縫等が容易に行えるし、支柱フレーム３ｃも折曲する必要がなく、加工が容易に行なえて安価に構成することができる。
【００４１】
次に、ペット洗浄カバーの第４の実施形態について、図１０を参照して説明する。図１０は、ペット洗浄カバー１ｃ全体の第４の実施形態の分解斜視図である。
本実施形態において、支持フレーム２はペット洗浄カバーの第１の実施形態と同一につき説明を省略する。
【００４２】
防水カバー５ｂは、防水性を備えたシートにより構成され、少なくとも一部を透明なシートで構成するか、光透過性を備えた防水シートにより構成する。また、この防水シートには、内部に繊維を添加して強化したものを用いてもよい。
防水カバー５ｂには、正面には内部に洗浄者の腕を挿入する腕孔１０が、上面にはホースやシャワーを洗浄室８に導入するホース孔１３が設けられている。そして、防水カバー５ｂの両側面は開放され、固定紐１６を用いて支持フレーム２に固定して、洗浄室８を形成する。
【００４３】
このように形成したペット洗浄カバー１ｃは、両側面が開放されているため、洗浄室８に犬を案内しやすく、また犬はこの開放された側面から首を出すことができるため、頭部が濡れて嫌がることがない。側面は開放されているが、洗浄する人は主に正面側から腕孔１０に腕を挿入して洗浄を行なうため、洗浄者が濡れることはない。
さらに、首孔６や出入口を形成するファスナ１５を設ける必要がなく、防水カバー５ｂの加工が容易であるためコストが安く済む。また、防水カバー５ｂは１枚のシート状であるため、使用しないときには折畳みやすく、コンパクトに収納できる。
【００４４】
次に、ペット洗浄カバーの第５の実施形態について、図１１を参照して説明する。図１１は、ペット洗浄カバー１ｄ全体の第５の実施形態の斜視図である。
本実施形態において、支持フレーム２ｂ及び防水カバー５ａはペット洗浄カバーの第３の実施形態と同じ構成であるので、説明を省略する。
【００４５】
本実施形態において、防水カバー５ａの四隅には吊紐１７が設けられ、この吊紐１７によって支持フレーム２ｂに吊下げられる。防水カバー５ａの正面にファスナ１５を設けて出入口を形成しているが、ファスナ１５は設けなくてもよく、出入口を形成しない場合は、防水フレーム５ａの裾を持上げて洗浄室に犬を案内する。
【００４６】
このようにして形成したペット洗浄カバー１ｄは、支持フレーム２ｂに吊下げられているため、洗浄室８の大きさを調整することができ、体高の異なる複数匹の犬を買っている場合でも、それぞれの犬の体高に合わせて使用することができる。
【００４７】
本発明のペット洗浄カバーは中型から大型の犬を洗浄する際にその効果をよく発揮し、特に大型の犬を洗浄するのに最適である。
【産業上の利用可能性】
【００４８】
本発明のペット洗浄カバーは、犬の洗浄に使用しないときは、首孔６から熱風を導入して衣服の簡易乾燥のための乾燥室として用いたり、また、植物の温室として用いることもできる。
【図面の簡単な説明】
【００４９】
【図１】ペット洗浄カバー全体の分解斜視図
【図２】防水カバーの側面図
【図３】防水カバーの正面図
【図４】図３のＡ−Ａ断面図
【図５】防水カバーの平面図
【図６】ペット洗浄カバーの第１の実施形態の使用状態図
【図７】ペット洗浄カバー全体の第２の実施形態の分解斜視図
【図８】ペット洗浄カバーの第２の実施形態の使用状態図
【図９】ペット洗浄カバー全体の第３の実施形態の分解斜視図
【図１０】ペット洗浄カバー全体の第４の実施形態の分解斜視図
【図１１】ペット洗浄カバー全体の第５の実施形態の斜視図
【符号の説明】
【００５０】
１，１ａ，１ｂ，１ｃ，１ｄ  ペット洗浄カバー
２，２ａ，２ｂ  支持フレーム
３ａ  底部フレーム
３ｂ，３ｃ  支柱フレーム
３ｄ  梁フレーム
４ａ  底部接続具
４ｂ  支柱接続具
４ｃ  床体接続具
５，５ａ，５ｂ  防水カバー
６    首孔
７    床体
８    洗浄室
９    扉片
１０  腕孔
１１  腕挿入穴
１２  袖
１３  ホース孔
１４  ホース係止具
１５  ファスナ
１６  固定紐
１７  吊紐
２０  土台部
２１  受け部
【図２】
2006174795.tif 000003
【図１】
2006174795.tif 000004
【図３】
2006174795.tif 000005
【図４】
2006174795.tif 000006
【図５】
2006174795.tif 000007
【図６】
2006174795.tif 000008
【図７】
2006174795.tif 000009
【図８】
2006174795.tif 000010
【図９】
2006174795.tif 000011
【図１０】
2006174795.tif 000012
【図１１】
2006174795.tif 000013